(57)【特許請求の範囲】
【請求項１】
入金口へ投入された入金紙幣を１枚ずつ繰込んで識別し、入金可能な紙幣のみを一時保留部に一時保留して入金承認指令に基づき複数の収納部へ分類収納する入金処理と、出金指令に基づき各収納部から紙幣を１枚ずつ繰出して識別し、出金可能な紙幣のみを出金口へ投出させる出金処理とを行う紙幣入出金機において、前記収納部は処理対象紙幣の金種数と同数として各収納部に各金種を設定し、これら収納部のうち所定の収納部にのみ前記一時保留部を付設して一時保留部付き収納部と一時保留部無し収納部とに形成し、入金処理時には前記一時保留部付き収納部の少なくとも一つにその収納部の設定金種と一時保留部無し収納部に設定されている金種との紙幣を収納させることにより前記一時保留部付き収納部のみを用いて入金処理を行わせ、出金処理時には前記一時保留部付き収納部から繰出された紙幣がその収納部の設定金種であるときは出金口へ出金し、一時保留部無し収納部に設定されている金種であるときは該当する一時保留部無し収納部へ収納させる制御部を具有することを特徴とする紙幣入出金機。
【請求項２】
前記処理対象紙幣の金種が３金種であり、前記一時保留部付き収納部が２個、一時保留部無し収納部が１個とされ、前記一時保留部付き収納部の一つへ前記一時保留部無し収納部に設定されている金種の紙幣も収納するようになされている請求項１記載の紙幣入出金機。
【請求項３】
前記一時保留部無し収納部が機体に対し着脱可能なカセットで構成され、各収納部への紙幣の初期補充時、および各収納部からの紙幣の回収時に前記カセットを用いるようになされている請求項２記載の紙幣入出金機。
【発明の詳細な説明】
【０００１】
【発明の属する技術分野】
本発明は、入金紙幣を出金紙幣として使用する循環式の紙幣入出金機に関する。
【０００２】
【従来の技術】
従来の循環式紙幣入金紙幣においては、我が国において流通する千円紙幣、５千円紙幣、万円紙幣の３金種に対応するため、機械内に上記各金種紙幣用の３個の収納部、およびこれらに付随して一時保留部と繰出し機構とがそれぞれ設けられている。
【０００３】
入金時には、入金紙幣をその識別結果に基づいて前記３種の紙幣収納部の一時保留部へ振り分けて送入し、入金承認時にはその一時保留部から紙幣収納部内へ収納し、不承認時にはその一時保留紙幣を繰出し機構により繰出して出金口へ返却するか、あるいは一時保留部を引出して一時保留部から一括返却するようになされており、また出金時には各紙幣収納部から所定の金種紙幣を繰出して出金するようになされている。
【０００４】
【発明が解決しようとする課題】
ところで前述の万円、５千円、および千円紙幣の入出金を行う場合、一般に万円と千円は入金および出金量が多いが、５千円紙幣は入金、出金とも少い傾向がある。
【０００５】
にも拘らず従来の機械では、万円、５千円、千円の３金種紙幣の収納部が略同等に設けられており、そのうえ各収納部には、機構が複雑でコストが高い一時保留部や繰出し機構が同等に備えられていたので機構の複雑化ならびに高コスト化が避けられなかった。換言すれば、使用量および使用頻度の少い金種の収納部が経済的かつ効率的でないという問題があった。
【０００６】
また最近では、業務終了時に機械内に存在する紙幣をすべて取出して金融機関の内部にある金庫室に回収し、始業時に再度機械に装填する仕様が採られるようになっており、そのため上記金庫を１個の運搬可能な着脱カセットとする傾向にある。
【０００７】
上記のような仕様の場合、前述の３金種の紙幣用として３個の収納部の他にさらに着脱カセットとその繰出し機構を備えることになり、加えて紙幣の搬送経路も増設されることになって益々機械の複雑化ならびにコスト高を招くことになる。
【０００８】
一方、機械内に２金種（万円、千円）の収納部を設置し、取扱い量の少い金種（５千円）は出金時にリジェクト部へ回収してしまうようにして機械の簡素化と低コスト化のみを優先させた紙幣入出金機（特開平７−６２４６号公報）を提供した。
【０００９】
しかしこの紙幣入出金機では、３金種のうちの１金種（５千円紙幣）はリジェクト部へ回収してしまうので出金に使用することができず、出金に使用できるのは２金種のみとなってしまうことになるので、出金紙幣の金種が指定されるような場合、例えば５千円紙幣で５万円といった出金処理については全く対応することができず、金融機関の窓口等では実質的に使用できないのもであった。
【００１０】
【発明が解決しようとする課題】
本発明は、処理対象の全金種に対して入出金処理が行えるという従来と同等の機能を失うことなく、金種による使用量および使用頻度を考慮して収納部の一部を簡素化ならびに低コスト化することにより機械全体の低コスト化を図ることができる紙幣入出金機を提供することを課題とするものである。
【００１１】
上記課題を解決するため本発明は、入金口へ投入された入金紙幣を１枚ずつ繰込んで識別し、入金可能な紙幣のみを一時保留部に一時保留して入金承認指令に基づき複数の収納部へ分類収納する入金処理と、出金指令に基づき各収納部から紙幣を１枚ずつ繰出して識別し、出金可能な紙幣のみを出金口へ投出させる出金処理とを行う紙幣入出金機において、前記収納部は処理対象紙幣の金種数と同数として各収納部に各金種を設定し、これら収納部のうち所定の収納部にのみ前記一時保留部を付設して一時保留部付き収納部と一時保留部無し収納部とに形成し、入金処理時には前記一時保留部付き収納部の少なくとも一つにその収納部の設定金種と一時保留部無し収納部に設定されている金種との紙幣を収納させることにより前記一時保留部付き収納部のみを用いて入金処理を行わせ、出金処理時には前記一時保留部付き収納部から繰出された紙幣がその収納部の設定金種であるときは出金口へ出金し、一時保留部無し収納部に設定されている金種であるときは該当する一時保留部無し収納部へ収納させる制御部を具有することを特徴とする。
【００１２】
処理対象の金種が３金種である場合には、前記一時保留部付き収納部を２個、一時保留部無し収納部を１個とし、前記一時保留部付き収納部の一つへ前記一時保留部無し収納部に設定されている金種の紙幣も収納するようにすればよい。
【００１３】
また、前記一時保留部無し収納部を機体に対し着脱可能なカセットで構成し、各収納部への紙幣の初期補充時、および各収納部からの紙幣の回収時に前記カセットを用いるようにすることができる。
【００１４】
【発明の実施の形態】
以下、本発明を図面に示す実施の形態を参照して説明する。
図１は、本発明を適用する対象機械として万円、５千円、千円の３金種の紙幣の入出金機の場合の一例を示す略示断面図で、機体１の前部上方位置に紙幣Ｐの入金口２が、その下部位置に出金口３がそれぞれ設けられ、機体１の内部にはその後方位置に一時保留部付き収納部４，５が前後に並設され、機体１内の前部下方位置には機体１から引出し可能な枠体６の奥側にカセット構造で一時保留部を有しない一時保留部無し収納部７が、その前側にリジェクトボックス８がそれぞれ搭載されている。
【００１５】
図示の例では、奥側の一時保留部付き収納部４が千円用の収納部に設定され、入金時には５千円紙幣の収納部に兼用するようになされており、その手前側の一時保留部付き収納部５が万円用とされ、カセット構造の一時保留部無し収納部７が５千円収納兼回収用とされている。
【００１６】
前記千円用、および万円用の収納部４，５の一時保留部９，９は、従来と同様に各収納部４，５の機体１に対し前後部外側に一時保留板１０，１０が矢印で示すように進入退出駆動自在に設けられ、これらが収納部４，５内に進入した位置にあるときその上面に一時保留紙幣が集積され、かつ収納部４，５内を上下方向駆動自在とされている。。
【００１７】
前記各収納部４，５，７内には受板１１，１１，１１が上下駆動自在に設けられている。
【００１８】
前記入金口２には紙幣載置板１２が上下駆動自在に設けられ、その上方にはキッカローラ１３が設けられており、入金口２からの繰出し口２ａの近傍にはフイードローラ１４とこのローラ１４との間で紙幣Ｐを１枚のみ通過させるゲート部を構成するゲートローラ１５とが上下に対置され、入金繰込み時には紙幣載置板１２が上昇してその上の入金紙幣をキッカローラ１３に押しつけ、このキッカローラ１３の矢印方向への回転により紙幣Ｐを１枚ずつけり出し、フィードローラ１４とゲートローラ１５との間に送り込んだ機体１内に取込むようになっている。
【００１９】
前記フィードローラ１４およびゲートローラ１５より内方の位置にはベルト対からなる入金搬送路１６が後方に向け下り傾斜して設けられ、この入金搬送路１６の末端は搬送通路１７のの一端に連通されている。
【００２０】
前記搬送通路１７は正逆駆動自在とされ、この搬送通路１７には、その前端から所要距離をおいた位置に配設され紙幣の搬送状態を検知する検知手段１８、この検知手段１８に離間した位置に設けられる合流部１９および分岐部２０、これら合流部１９と分岐部２０との間に設けられ紙幣をスイッチバックさせて表裏を反転させる表裏反転機構部２１を備えており、前記分岐部２０にはルートを切換える切換片２２が切換え駆動自在に設けられている。
【００２１】
前記表裏反転機構部２１は、前記合流部１９と分岐部２０との間に位置して図１において反時計方向に回転駆動される羽根車２３のドラム部２３ａの周囲と反転部２４の行止り部２４ａとの距離が紙幣の搬送方向長さより若干長く形成されている。
【００２２】
前記搬送通路１７の後端に続いて紙幣Ｐが正常券か異常券かを識別する識別部２５が配設されている。
【００２３】
前記千円用の収納部４、万円用の収納部５の各一時保留部９，９の上部位置、および５千円収納部兼回収用の収納部７の上方位置にはそれぞれ同じ構造の繰出し機構２６，２６，２６が配設されている。
【００２４】
この繰出し機構２６は、キッカローラ２７と、繰出し口に近接して設けられるフィードローラ２８と、このフィードローラ２８との間で紙幣Ｐを１枚のみ通過させるゲート部を構成するゲートローラ２９とで構成され、前記フィードローラ２８の外周部外側域にはベルト３０が前記ゲートローラ２９の近傍から立ち上がるように圧接して設けられ、繰出された紙幣Ｐがフィードローラ２８とベルト３０との間から前記搬送通路１７の下部位置にこれと平行に配設された搬送路３１、およびその後端に続く搬送路３２を経て識別部２５へ向って搬送されるようになっている。これら搬送路３１，３２も正逆駆動自在とされる。
【００２５】
上記搬送路３１には、紙幣収納時に各収納部４，５，７へ分岐させる切換片３３，３３，３３が切換え駆動自在に設けられ、この切換片３３，３３，３３により分岐された紙幣はベルト３４とローラ３５との間から一時保留部無し収納部７へは直接に、一時保留部付き収納部５，４はその一時保留部９，９へ送入されるようになっている。一時保留部無し収納部７への切換片３３はリジェクトボックス８への切換えも兼ねている。
【００２６】
前記搬送路３１の機体１に対し前端部と、リジェクトボックス８へ紙幣を送入するための搬送路３６との間には、異常券と正常券とを区分けする区分け部３７が設けられ、この区分け部３７へは前記搬送通路１７の機体１に対し前端位置からベルト３８を通じて連通されており、またこの区分け部３７から出金口３へはベルト対からなる出金搬送路３９が設けられ、出金紙幣を出金口３へ放出するようになっている。
【００２７】
図１中４０は制御部で、この制御部４０は前記検知手段１８の検知結果に基づいて異常券の到来、または正常券と異常券との接近あるいは重なりの異常状態を検知する異常判定手段４１を有している。
【００２８】
またこの制御部４０は、入金処理時には前記一時保留部付き収納部４，５の少なくとも一つである収納部４にその収納部４の設定金種の千円紙幣と一時保留部無し収納部７に設定されている金種の５千円紙幣を収納させることにより前記一時保留部付き収納部のみを用いて入金処理を行わせ、出金処理時には前記一時保留部付き収納部４，５から繰出された紙幣がその収納部の設定金種であるときは出金口３へ出金し、一時保留部無し収納部７に設定されている金種（５千円紙幣）であるときは一時保留部無し収納部へ収納させるよう制御する。４２は電源部を示す。
【００２９】
次に具体的な紙幣の流れについて説明する。
【００３０】
図２は入金時の紙幣Ｐの流れを太線で示したもので、入金口２に投入された紙幣Ｐは載置板１２の上昇によりその最上位の紙幣がキッカローラ１３に押しつけられ、キッカローラ１３の矢印方向への回動により繰出され、フィードローラ１４とゲートローラ１５との間を通る際に１枚に分離されて入金搬送路１６、搬送通路１７を搬送され、識別部２５へ送られてここで金種が識別される。
【００３１】
この識別部２５による識別結果が千円および５千円紙幣であれば千円用の一時保留部付き収納部４の一時保留部９内へ送り込まれ、万円紙幣であれば万円用の一時保留部付き収納部５の一時保留部９へ送入される。そして入金額の承認がなされれば一時保留板１０，１０が外側方へ移動して一時保留紙幣が各収納部４，５内に収納される。
【００３２】
図３（Ａ）〜（Ｃ）は出金の場合を示し、図３（Ａ）は万円紙幣の出金時、同（Ｂ）は千円紙幣の出金時、同（Ｃ）は５千円紙幣の出金時の紙幣の流れを太線で示している。
【００３３】
万円紙幣の出金時には、図３（Ａ）に示すようにその収納部５内の受板１１が上昇して、この受板１１上に集積されている最上位の紙幣Ｐが繰出し機構２６のキッカローラ２７に押しつけられ、このキッカローラ２７の矢印方向への回転により１枚ずつ繰出されてフィードローラ２８とゲートローラ２９との間から搬送路３１，３２を経て識別部２５へ送られ、搬送路３８，３９を通って出金口３へ出金される。裏返しの紙幣は切換片２２の切換えにより表裏反転機構部２１へ送り込まれてその反転部２４の行止り部２４ａに当ったのち羽根車２３により下端が合流部１９側へ移動され、合流部１９で再び搬送通路１７へ合流して表券となって出金口３へ送られる。
【００３４】
千円紙幣の出金時には、図３（Ｂ）に示すように千円用の収納部４から万円紙幣の場合と同様に繰出し機構２６により１枚ずつ繰出されて識別部２５へ送られる。この識別部２５で千円紙幣と識別された紙幣は前記万円紙幣と同じルートを通って出金口３へ出金され、裏返しの紙幣は表裏反転機構部２１で反転され、表券となって出金口３へ送られる。
【００３５】
上記識別部２５で５千円紙幣と識別された紙幣は区分け部３７の切換片３３の切換わりにより図３（Ｂ）に点線で示すように一時保留部無し収納部７内に直接送入され、その受板１１上に集積される。したがって、入金時に千円用の一時保留部付き収納部４に収納された千円および５千円紙幣のうちの５千円紙幣は、千円紙幣の出金時に分離されて一時保留部無し収納部７に回収され、この収納部７内には５千円紙幣のみが収納されることになる。
【００３６】
５千円紙幣の出金を要するときは、図３（Ｃ）に示すように一時保留部無し収納部７内の受板１１が上昇してその上に集積されている最上位の紙幣が繰出し機構２６のキッカローラ２７に押し当てられ、このキッカローラ２７の矢印方向への回転により１枚ずつ繰出されて搬送路３１，３２から識別部２５を通り、表券はそのまま搬送通路１７を搬送され、搬送路３８，３９を通って出金口３へ出金される。裏返しの紙幣は表裏反転機構部２１で反転されて同様に出金口３へ出金される。
【００３７】
また各金種とも識別部２５で異常券と判断された紙幣は区分け部３７の切換片３３の切換わりにより搬送路３６を通ってリジェクトボックス６へリジェクトされる。
【００３８】
このように３金種の紙幣を入出金させる場合、２つの収納部のみに一時保留部を設け、残る一つの収納部には一時保留部を設けずとも３金種の紙幣の入金と出金とを支障なく行わせることができる。
【００３９】
なお、機体１内に存在するすべての紙幣Ｐを回収するような場合には、収納部４，５内の紙幣Ｐをカセット構造の一時保留部無し収納部７へ搬送路３１，３２，１７，３８、切換片３３を通じて回収し、機体１から枠体６を引出して前記収納部７を取出し、精算所あるいは金庫等へ運搬することになる。本実施例では一時保留部無し収納部７を回収用とした場合について示したが、初期補充用に兼用するようにしてもよい。
【００４０】
【発明の効果】
以上説明したように本発明は、紙幣の収納部を処理対象の金種数と同数として各収納部に各金種を設定し、これら収納部のうち所定の収納部にのみ一時保留部を付設して一時保留部付き収納部と一時保留部無し収納部とに形成し、入金処理時には前記一時保留部付き収納部の少なくとも一つにその収納部の設定金種と一時保留部無し収納部に設定されている金種との紙幣を収納させることにより前記一時保留部付き収納部のみを用いて入金処理を行わせ、出金処理時には前記一時保留部付き収納部から繰出された紙幣がその収納部の設定金種であるときは出金口へ出金し、一時保留部無し収納部に設定されている金種であるときは該当する一時保留部無し収納部へ収納されるようにしたので、構造の複雑な一時保留部の設置数を削減することができ、これにより機械のコンパクト化およびコストダウンを同時に図ることができる。
【００４１】
また一時保留部無し収納部を着脱可能なカセット構造とすれば、このカセットに一時保留部がないので紙幣の収納量をそれだけ増すことができ、かつカセットの軽量化を図ることができる。
【図面の簡単な説明】
【図１】本発明を適用した紙幣入出金機の一例を示す概示断面図。
【図２】入金時の紙幣の流れを示す説明図。
【図３】（Ａ）〜（Ｃ）は出金時の紙幣の流れを示す説明図。
【符号の説明】
１  機体
２  入金口
３  出金口
４，５  一時保留部付き収納部
７  一時保留部無し収納部
８  リジェクトボックス
９  一時保留部
１０  一時保留板
１１  受板
１７  搬送通路
１８  検知手段
１９  合流部
２０  分岐部
２１  表裏反転機構部
２５  識別部
２６  繰出し機構
３７  区分け部
４０  制御部
【図１】
0004011195.tif 000002
【図２】
0004011195.tif 000003
【図３】
0004011195.tif 000004